(57)【要約】【課題】所望のＲｕｎ画像を容易にかつ短時間で見つけることができる医用画像診断装置を提供すること。【解決手段】１回の撮影毎に収集されるＲｕｎ画像内で再生したいフレーム領域を選択するための表示フレーム選択部１４４をユーザーインターフェース部１４に設ける。表示フレーム選択部１４４によって再生フレーム領域が選択された場合に、再生処理部１０１はＲｕｎ画像毎に、選択された再生フレーム領域に対応するフレームの医用画像を画像データベース１０２から読み出して、順次表示部１１に再生する。【選択図】図２
2008253568.tif 000002
【特許請求の範囲】
【請求項１】
撮影毎に収集された複数フレームの医用画像の中から、一部のフレームの医用画像を選択するための選択手段と、
前記選択されたフレームの医用画像を順次再生する再生手段と、
を具備することを特徴とする医用画像診断装置。
【請求項２】
前記選択手段は、前記一部のフレームの医用画像を自動的に選択することを特徴とする請求項１に記載の医用画像診断装置。
【請求項３】
前記選択手段は、前記撮影毎に収集された複数フレームの医用画像において、撮影毎に共通の割合に応じた医用画像を選択することを特徴とする請求項１に記載の医用画像診断装置。
【請求項４】
前記選択手段は、前記撮影の種別を選択するための撮影種別選択手段を有することを特徴とする請求項１又は３に記載の医用画像診断装置。
【請求項５】
前記選択手段は、前記撮影毎に収集された複数フレームの医用画像において、一部のフレームを間引いて前記医用画像を選択することを特徴とする請求項１に記載の医用画像診断装置。
【請求項６】
前記再生手段は、前記選択された医用画像のフレーム数に応じて、前記選択された医用画像の再生時間を長くすることを特徴とする請求項５に記載の医用画像診断装置。
【請求項７】
前記撮影毎に収集された複数フレームの医用画像の中から、再生しない撮影に係る医用画像を選択するための非再生画像選択手段をさらに具備し、
前記再生手段は、前記医用画像の再生の際に、前記非再生画像選択手段によって選択された医用画像をスキップして再生を行うことを特徴とする請求項１に記載の医用画像診断装置。
【請求項８】
前記撮影毎に収集された複数フレームの医用画像の中から、繰り返し再生する撮影に係る医用画像を選択するための繰り返し再生画像選択手段をさらに具備し、
前記再生手段は、前記医用画像の再生の際に、前記繰り返し再生画像選択手段によって選択された撮影において収集される全てのフレームの医用画像を繰り返し再生することを特徴とする請求項１に記載の医用画像診断装置。
【請求項９】
前記選択手段は、前記撮影毎に収集された複数フレームの医用画像が画像記録媒体から入力された場合に、前記一部のフレームの医用画像を自動的に選択することを特徴とする請求項１に記載の医用画像診断装置。
【請求項１０】
前記順次再生される医用画像の中から任意の医用画像を静止画像として選択して取り込むための静止画選択手段をさらに具備することを特徴とする請求項９に記載の医用画像診断装置。
【発明の詳細な説明】
【技術分野】
【０００１】
本発明は、医用画像を表示再生する機能を有する医用画像診断装置に関する。
【背景技術】
【０００２】
従来、検査中及び検査後に、撮影済みの複数のＲｕｎ画像（１回の撮影によって収集される複数フレームからなる医用画像群）の中から所望のＲｕｎ画像を簡単に選択して再生するための手法として、例えば各Ｒｕｎ画像における代表画像のサムネイル画像をカタログ表示させる手法が用いられている。また、各Ｒｕｎ画像を効率良く再生するためには、特許文献１に示すような、Ｒｕｎ画像を構成する医用画像をフレーム単位で逐次再生する連続再生の手法が用いられている。
【特許文献１】特開平１０−７１１４０号公報
【発明の開示】
【発明が解決しようとする課題】
【０００３】
ここで、上述したカタログ表示の場合、１検査当たりのＲｕｎ画像の数が多くなるとカタログ表示されるサムネイル画像の数も増大することになる。この場合、所望のＲｕｎ画像を見つけるのは容易ではなく、所望の画像を見つけるために、カタログ表示されているＲｕｎ画像を実際に再生して内容を確認するという操作を繰り返す必要が生じるおそれがある。
【０００４】
また、特許文献１の連続再生の場合には、１検査中に収集されるＲｕｎ画像を全て時系列的に再生するために、Ｒｕｎ画像の数が多くなると、再生時間が増大し、所望の医用画像を含むＲｕｎ画像を見つけるのに多大な時間が必要となるおそれがある。
【０００５】
本発明は、上記の事情に鑑みてなされたもので、所望のＲｕｎ画像を容易にかつ短時間で見つけることができる医用画像診断装置を提供することを目的とする。
【課題を解決するための手段】
【０００６】
上記の目的を達成するために、本発明の請求項１の医用画像診断装置は、撮影毎に収集された複数フレームの医用画像の中から、一部のフレームの医用画像を選択するための選択手段と、前記選択されたフレームの医用画像を順次再生する再生手段とを具備することを特徴とする。
【発明の効果】
【０００７】
本発明によれば、所望のＲｕｎ画像を容易にかつ短時間で見つけることができる医用画像診断装置を提供することができる。
【発明を実施するための最良の形態】
【０００８】
以下、図面を参照して本発明の実施形態を説明する。  
［第１の実施形態］
まず、本発明の第１の実施形態について説明する。図１は、本発明の第１の実施形態に係る医用画像診断装置の一例としてのシングルプレーンのＸ線診断装置の構成図を示す。
【０００９】
図１において、寝台４上には、例えば心臓血管等に疾患を有する患者等の被検体３が載置される。機構制御部６には、Ｃアーム７が回転可能に設けられている。このＣアーム７の各端部には、それぞれＸ線発生部２とＸ線検出部５とが対向するように設けられている。Ｘ線発生部２は、Ｘ線管を備え、このＸ線管に管電圧、管電流が供給されることによりＸ線を放出する。Ｘ線検出部５は、Ｘ線発生部２から放出され、被検体３を透過したＸ線の量を検出し、Ｘ線の検出量に応じた信号を出力する。このＸ線検出部５には、平面検出器（Flat Panel Detector：ＦＰＤ）又はＩ.Ｉ.（Image Intensifier）を用いる。
【００１０】
機構制御部６は、Ｃアーム７を回転させる。これにより、Ｘ線発生部２とＸ線検出部５とは、被検体３を回転中心として回転する。
【００１１】
Ｘ線制御部は、Ｘ線発生部２に供給する管電圧、管電流を制御するもので、高電圧制御部２０と、高電圧発生部１とを有する。高電圧制御部２０は、高電圧発生部１により発生する管電圧値及び管電流を制御する。高電圧発生部１は、高電圧制御部２０に制御され、所定の管電圧及び管電流を発生してＸ線発生部２に供給する。
【００１２】
制御装置本体は、コンピュータによりなる。この制御装置本体は、システム制御部８と画像演算・記憶部１０とを有し、かつ液晶ディスプレイ等の表示部１１が接続されている。また、制御装置本体には操作部９が設けられている。この操作部９は、ハンドスイッチ１２と、ユーザーインターフェース部１４とを有している。システム制御部８は、機構制御部６を制御してＣアーム７を回転させてＸ線発生部２とＸ線検出部５とを被検体３を回転中心として回転移動させるとともに、高電圧制御部２０を制御してＸ線発生部２から照射されるＸ線の量を調整する。さらに、システム制御部８は、Ｘ線検出部５の出力信号が逐次入力され、その信号から複数フレームの静止画像データ（医用画像データ）を生成して画像演算・記憶部１０に記憶させる。
【００１３】
図２（ａ）は、第１の実施形態における、画像演算・記憶部１０とユーザーインターフェース部１４の構成を示す図である。
【００１４】
画像演算・記憶部１０は、再生処理部１０１と、画像データベース１０２とを備えている。再生手段としての再生処理部１０１はユーザーインターフェース部１４を介した操作入力を受けて、動画像データを再生する。画像データベース１０２はシステム制御部８によって生成された医用画像データを、フレーム単位、Ｒｕｎ単位（１回の撮影において収集される複数フレームの医用画像データ単位）、検査単位（１回の検査で収集される１以上のＲｕｎ画像データ単位）で、患者情報、Ｒｕｎ種別、検査日時、収集部位、画像処理条件などの付帯情報とともに記憶する。
【００１５】
選択手段としてのユーザーインターフェース部１４は、例えばハンドスイッチ１２の操作を受けて操作されるソフトウェア的な操作部と、この操作部をグラフィカルに表示させる表示部とから構成されている。そして、このユーザーインターフェース部１４には、操作部として少なくともダイジェスト再生モード選択部１４１、再生開始指示部１４２、再生終了指示部１４３、及び表示フレーム選択部１４４が設けられている。ダイジェスト再生モード選択部１４１は、再生処理部１０１による医用画像データの再生モードとして、後述するダイジェスト再生モードを選択するための操作部である。このダイジェスト再生モード選択部１４１を選択する毎に医用画像の再生モードがダイジェスト再生モードと通常再生モードとの間で切り替わる。再生開始指示部１４２は再生処理部１０１にＲｕｎ画像データの再生開始を指示するための操作部である。再生終了指示部１４３は再生処理部１０１にＲｕｎ画像データの再生終了を指示するための操作部である。表示フレーム選択部１４４はダイジェスト再生モードにおいて再生するフレーム領域を選択するための操作部である。
【００１６】
ここで、ユーザーインターフェース部１４の各操作部はハードウェア的な操作部として構成することもできる。
【００１７】
以下、ダイジェスト再生モードについて説明する。一般的に、カテーテル検査などで医師が見たい画像は、造影剤が注入されてから流れてしまうまでの画像である。そこで、医用画像の撮影の際には、造影剤が注入されてから流れてしまうまでの画像が含まれるように、時間的に余裕を持たせて撮影開始及び撮影時間を設定する。したがって、医師にとっては収集したＲｕｎ画像の中から所望のＲｕｎ画像を識別するのに、Ｒｕｎ画像内の全てのフレームの画像を見る必要はなく、造影剤が入っているフレームの画像のみを見られれば良い。そして、撮影時に造影剤を入れるタイミングがだいたい一致していれば、全てのＲｕｎ画像おいて、造影剤が入っている画像が存在するフレーム範囲がほぼ同一であると考えることができる。
【００１８】
そこで、以下に説明するダイジェスト再生モードにおいては、所望のＲｕｎ画像をいち早く見つけ出せるように、各Ｒｕｎ画像の中から所定のフレーム領域の医用画像のみを抽出して再生するようにする。
【００１９】
図２（ｂ）は、第１の実施形態においてダイジェスト再生モードが選択された場合のユーザーインターフェース部１４上の操作部の表示例を示す図である。第１の実施形態において、ダイジェスト再生モードが選択された際には、例えば図２（ｂ）に示すようにして、再生開始指示部１４２、再生終了指示部１４３、及び表示フレーム選択部１４４がそれぞれ表示される。
【００２０】
ここで、表示フレーム選択部１４４としては、再生開始位置指定部１４４ａと、再生フレーム領域指定部１４４ｂとが表示される。そして、再生開始位置指定部１４４ａの位置を、ハンドスイッチ１２を操作して指定することにより再生を開始したいフレームの位置を１Ｒｕｎ画像内の％単位で指定することができる。また、再生フレーム領域指定部１４４ｂの領域を、ハンドスイッチ１２を操作して指定することにより、再生を行わせたいフレーム領域を１Ｒｕｎ画像内の％単位で指定することができる。
【００２１】
再生開始位置指定部１４４ａの位置及び再生フレーム領域指定部１４４ｂの領域が指定されると、それらの指定結果が、例えば参照符号１４４ｃで示されるようにして視覚的に表示される。これによって、再生時に全フレームのうちでどのフレーム領域の医用画像が再生されるのかを瞬時に識別することが可能である。
【００２２】
ここで、本実施形態では、再生フレーム領域を、フレーム数ではなく、１Ｒｕｎ画像内の全フレームに対する割合で指定するようにしているため、撮影時に造影剤を入れるタイミングを一致させるようにしておけば、再生フレーム領域の指定結果を全Ｒｕｎ画像で共通に利用することが可能である。
【００２３】
以下、図３を参照して第１の実施形態のダイジェスト再生モードにおけるＲｕｎ画像再生の流れについて説明する。第１の実施形態におけるダイジェスト再生モードにおいては、再生開始位置指定部１４４ａ及び再生フレーム領域指定部１４４ｂの指定がなされた状態で再生開始指示部１４２が操作されるとＲｕｎ画像が再生される。この再生において、再生処理部１０１は、再生フレーム領域に含まれるフレームの医用画像データをＲｕｎ画像毎に画像データベース１０２から選択し、選択した医用画像データを動画像として表示部１１に再生する。図３においては、再生されるフレーム領域の医用画像データをハッチングによって示している。これは、以後の実施形態においても同様である。
【００２４】
例えば、再生開始位置を図２（ｂ）に示す２０％の位置に指定し、再生フレーム領域を再生開始位置から３０％の範囲に指定している場合には、各Ｒｕｎ画像における全フレームの２０％〜５０％の範囲の医用画像が選択されて再生される。なお、％の指定によっては端数が生じる場合もあり得るが、端数が生じた場合には、その値は例えば四捨五入される。
【００２５】
例えば、図３において、１番目のＲｕｎ画像（Ｒｕｎ＃１）が１００フレームの医用画像から構成され、２番目のＲｕｎ画像（Ｒｕｎ＃２）が５０フレームの医用画像から構成されている場合には、Ｒｕｎ＃１においては２０フレーム目〜５０フレーム目までの医用画像が選択されて再生され、Ｒｕｎ＃２においては１０フレーム目〜２５フレーム目までの医用画像が選択されて再生される。これらは、再生されるフレーム数は異なるが、略同じ撮影タイミングの画像である。ここで、１つのＲｕｎ画像の再生が終了した後は、再生を一時停止させるようにしても良いし、そのまま次のＲｕｎ画像の再生を開始させるようにしても良い。
【００２６】
また、Ｒｕｎ画像の再生中に再生終了指示部１４３が操作されると医用画像の再生が終了される。このようにして所望のＲｕｎ画像が見つけられた場合には、ダイジェスト再生モードから通常再生モードに戻り、通常再生モードにおいて所望のＲｕｎ画像を詳細観察することが可能である。
【００２７】
以上説明したように、第１の実施形態によれば、Ｒｕｎ画像の再生の際に、Ｒｕｎ画像内の全てのフレームを再生するのではなく、その中の一部のみを抽出して再生するようにすることで、Ｒｕｎ画像の数が大量になったとしても短時間で所望のＲｕｎ画像を見つけることが可能である。
【００２８】
また、再生するフレームの範囲を全フレームに対する割合で指定するようにしているため、１回の再生フレーム領域の指定操作で全てのＲｕｎ画像に対する再生フレーム領域を指定することができる。
【００２９】
ここで、図２（ｂ）の例では、１つのＲｕｎ画像内に１つの再生フレーム領域を指定する例を示しているが、１つのＲｕｎ画像内に複数の再生フレーム領域を指定できるようにしても良い。複数の再生フレーム領域が指定された場合であっても、再生処理部１０１は、その複数指定された再生フレーム領域に含まれるフレームの医用画像データをそれぞれ選択して順次再生する。
【００３０】
また、図３の例では、ダイジェスト再生モードにおいて、全てのＲｕｎ画像の再生を行う例について示しているが、必ずしも全てのＲｕｎ画像の再生を行う必要はない。例えば、各Ｒｕｎ画像の代表画像を表示部１１にカタログ表示するようにし、この中で選択されたＲｕｎ画像と、その近辺のＲｕｎ画像のみを再生するようにしても良い。このようにカタログ表示とダイジェスト再生モードとを組み合わせることにより、より早急に所望のＲｕｎ画像を見つけることが可能である。
【００３１】
さらに、第１の実施形態においては、再生フレーム領域を手動で指定する例について説明しているが、再生フレーム領域を指定するための割合を固定値としておけば、再生処理部１０１において自動的に指定することもできる。
【００３２】
また、ユーザーインターフェース部１４に表示される各操作部を表示部１１に表示させるようにし、表示部１１上で上述したダイジェスト再生モードの操作を行えるようにしても良い。
【００３３】
［第２の実施形態］
次に、本発明の第２の実施形態について説明する。図４（ａ）は、第２の実施形態におけるユーザーインターフェース部１４の構成を示す図である。図４（ａ）に示すように、第２の実施形態は、第１の実施形態のユーザーインターフェース部１４にＲｕｎ種別選択部１４５が追加された点が異なっている。なお、この他の構成について第１の実施形態と同様であるので説明を省略する。
【００３４】
Ｒｕｎ種別選択部１４５は、画像データベース１０２にＲｕｎ画像毎に記憶されている医用画像の中から、所望のＲｕｎ種別（撮影やそれによって生成される医用画像の種別）を選択するための操作部である。図４（ｂ）は、Ｒｕｎ種別選択部１４５のユーザーインターフェース部１４上の表示例を示す図である。Ｒｕｎ種別選択部１４５としては、Ｒｕｎ種別毎のチェックボックス１４５ａが表示される。そして、チェックボックス１４５ａの何れかをハンドスイッチ１２を操作して選択することによってＲｕｎ種別が選択される。
【００３５】
ここで、図４（ｂ）においては、Ｒｕｎ種別の一例として、「Ｆｌｕｏｒｏ」、「ＤＡ」、「ＤＳＡ」、「３Ｄ−ＤＡ」、「３Ｄ−ＤＳＡ」を示している。「Ｆｌｕｏｒｏ」はＸ線透視法（Fluoroscopy）で撮影されたＲｕｎ画像、「ＤＡ」はデジタル血管造影法(Digital Angiography)で撮影されたＲｕｎ画像、「ＤＳＡ」は造影剤注入前後のＤＡ画像の差分を取って得られるＲｕｎ画像、「３Ｄ−ＤＡ」、「３Ｄ−ＤＳＡ」はそれぞれＤＡ画像、ＤＳＡ画像を３次元再構成して得られるＲｕｎ画像である。
【００３６】
図５は、第２の実施形態においてダイジェスト再生モードが選択された場合のユーザーインターフェース部１４上の操作部の表示例を示す図である。第２の実施形態において、ダイジェスト再生モードが選択された際には、例えば図５に示すようにして、再生開始指示部１４２、再生終了指示部１４３、表示フレーム選択部１４４、及びＲｕｎ種別選択部１４５がそれぞれ表示される。そして、第２の実施形態において、Ｒｕｎ種別と再生フレーム領域の指定を行うと、指定されたＲｕｎ種別に対応するＲｕｎ画像についてのみ図３で示したような医用画像が再生される。
【００３７】
以上説明したように、第２の実施形態によれば、Ｒｕｎ種別選択部１４５を設けることにより、第１の実施形態よりもさらに短時間で所望のＲｕｎ画像を見つけることが可能である。
【００３８】
［第３の実施形態］
次に、本発明の第３の実施形態について説明する。図６（ａ）は、第３の実施形態におけるユーザーインターフェース部１４の構成を示す図である。図６（ａ）に示すように、第３の実施形態は、第１の実施形態のユーザーインターフェース部１４における表示フレーム選択部１４４の代わりに再生速度変更部１４６が設けられている点が異なっている。なお、この他の構成について第１の実施形態と同様であるので説明を省略する。
【００３９】
再生速度変更部１４６は、ダイジェスト再生モードにおけるＲｕｎ画像の再生速度を変更するための操作部である。図６（ｂ）は、第３の実施形態においてダイジェスト再生モードが選択された場合のユーザーインターフェース部１４上の操作部の表示例を示す図である。第３の実施形態において、ダイジェスト再生モードが選択された際には、例えば図６（ｂ）に示すようにして、再生開始指示部１４２、再生終了指示部１４３、再生速度変更部１４６がそれぞれ表示される。ここで、再生速度変更部１４６としては、再生速度を指定するための指標１４６ａが表示される。ハンドスイッチ１２により指標１４６ａを移動させることにより再生速度を変更することができる。Ｒｕｎ画像の再生時に、再生処理部１０１は、再生速度に応じたフレームの医用画像データをＲｕｎ画像毎に画像データベース１０２から間引いて選択し、選択した医用画像データを動画像として表示部１１に再生する。ここで、図６（ｂ）においては、再生速度の一例として、「１倍速（×１）」、「２倍速（×２）」、「４倍速（×４）」、「８倍速（×８）」を示している。「１倍速」は通常再生モードと同様の再生速度であり、再生処理部１０１は、Ｒｕｎ画像内の全てのフレームの医用画像データを選択する。「２倍速」の場合に、再生処理部１０１は、Ｒｕｎ画像内の医用画像データを１フレーム毎に選択する。同様に、「４倍速」の場合に、再生処理部１０１は、Ｒｕｎ画像内の医用画像データを３フレーム毎に選択し、「８倍速」の場合に、再生処理部１０１は、Ｒｕｎ画像内の医用画像データを７フレーム毎に選択する。
【００４０】
以下、図７を参照して第３の実施形態のダイジェスト再生モードにおけるＲｕｎ画像再生の流れについて説明する。第３の実施形態のダイジェスト再生モードにおいては、再生速度変更部１４６の指定がなされた状態で再生開始指示部１４２が操作されるとＲｕｎ画像の再生が開始される。ここで、図７は「２倍速」が選択された場合を示しており、再生処理部１０１は、Ｒｕｎ画像内の医用画像データを１フレーム毎に選択し、選択した医用画像データを動画像として表示部１１に再生する。また、Ｒｕｎ画像の再生中に再生終了指示部１４３が操作されると医用画像の再生が終了される。このようにして所望のＲｕｎ画像が見つけられた場合には、ダイジェスト再生モードから通常再生モードに戻り、通常再生モードにおいて所望のＲｕｎ画像を詳細観察することが可能である。
【００４１】
ここで、第３の実施形態において１つのＲｕｎ画像の再生が終了した後は、第１の実施形態と同様に再生を一時停止させるようにしても良いし、そのまま次のＲｕｎ画像の再生を開始させるようにしても良い。
【００４２】
また、特に、再生速度が速くなると、間引き後のフレーム数が非常に少なくなり、その結果、Ｒｕｎ画像の再生時間がほとんどなくなってしまう場合が考えられる。そこで、再生速度毎に最低再生時間を設けておき、間引き後のＲｕｎ画像の再生時間が最低再生時間を下回ってしまうような場合には、その分、Ｒｕｎ画像再生の際のフレームレートを長くして最低再生時間の間は再生が行われるようにすることが望ましい。このようにすることで間引き後のフレーム数が少なくなっても所望のＲｕｎ画像を識別することが可能である。
【００４３】
以上説明したような、第３の実施形態の手法でも、第１の実施形態と同様に短時間で所望のＲｕｎ画像を見つけることが可能である。
【００４４】
ここで、第３の実施形態においても、第２の実施形態のＲｕｎ種別選択部１４５を設けるようにし、Ｒｕｎ種別選択部１４５によって選択されたＲｕｎ画像に対して再生速度を変更したＲｕｎ画像再生を行えるようにしても良い。
【００４５】
［第４の実施形態］
次に、本発明の第４の実施形態について説明する。第４の実施形態は第１〜第３実施形態にキープ再生指示部及び非表示指示部を追加したものである。
【００４６】
図８は、第４の実施形態においてダイジェスト再生モードが選択された場合のユーザーインターフェース部１４上のキープ再生指示部及び非表示指示部の表示例を示す図である。キープ再生指示部１４７は、ダイジェスト再生モード中に繰り返し再生したいＲｕｎ画像を指定するための操作部である。また、キープ再生指示がなされている状態でキープ再生指示部１４７が操作されるとキープ再生指示が解除される。非表示指示部１４８はダイジェスト再生モード中に再生したくないＲｕｎ画像を指定するための操作部である。また、非表示指示がなされている状態で非表示指示部１４８が操作されると非表示指示が解除される。
【００４７】
以下、図９を参照して第４の実施形態のダイジェスト再生モードにおけるＲｕｎ画像再生の流れについて説明する。第４の実施形態のダイジェスト再生モードにおいては、キープ再生指示部１４７及び非表示指示部１４８が操作されていない間（図９ではＲｕｎ＃１）は、通常のダイジェスト再生（図９では第１の実施形態におけるＲｕｎ画像再生を示しているが、第３の実施形態におけるＲｕｎ画像再生を適用することもできる）が行われる。
【００４８】
そして、所望のＲｕｎ画像（図９ではＲｕｎ＃２）が発見された時点でキープ再生指示部１４７が操作されるとそのＲｕｎ画像のダイジェスト再生の終了後、図９に示すようにしてその所望のＲｕｎ画像の全フレームの医用画像データの再生が繰り返される。これにより、所望のＲｕｎ画像を見つけた後でわざわざ通常再生モードに戻らなくとも、所望のＲｕｎ画像の詳細観察を行うことが可能である。
【００４９】
また、失敗画像等の再生の必要がないＲｕｎ画像が発見された時点で非表示指示部１４８が操作されるとそのＲｕｎ画像のダイジェスト再生の終了後、以後はそのＲｕｎ画像の再生がスキップされて次のＲｕｎ画像の再生に移行する。これにより、不必要なＲｕｎ画像の再生がなされないので、より効率良く所望のＲｕｎ画像を発見することが可能である。
【００５０】
［第５の実施形態］
次に、本発明の第５の実施形態について説明する。第５の実施形態は、検査直後等に得られたＲｕｎ画像を再生する場合でなく、過去にＣＤＲＯＭやＤＶＤＲＯＭ等の画像記録媒体に記録されたＲｕｎ画像を再生する場合の例である。過去画像の中から所望のＲｕｎ画像を発見するために上述したダイジェスト再生を利用する。
【００５１】
このために、画像記録媒体が読み書き可能なメディアである場合には、各Ｒｕｎ画像におけるフレーム毎の再生回数を画像記録媒体内に記録しておく。また、画像記録媒体が読み取り専用のメディアである場合には、医用画像診断装置の再生処理部１０１に各Ｒｕｎ画像におけるフレーム毎の再生回数を記録しておく。
【００５２】
そして、Ｒｕｎ画像の再生時には画像記録媒体内若しくは再生処理部１０１内に記録されている再生回数の情報を参照して再生回数が最も多いフレーム付近の医用画像データを選択してダイジェスト再生を行う。
【００５３】
過去に再生した回数の多いフレームの医用画像は重要な画像であることが多いので、この画像付近のみをダイジェスト再生することによって、医師が自身で再生フレーム領域などを指定しなくとも、重要なフレームを含むダイジェスト再生を行うことが可能である。
【００５４】
さらに、画像記録媒体の転送速度が大きくなく、画像のインポートに時間がかかる場合には、本当に必要な医用画像データのみをインポートできるようにすることが好ましい。そこで、第５の実施形態においては、図１０に示すような、静止画選択手段としてのインポート指示部１４９を設ける。ダイジェスト再生中に、ハンドスイッチ１２によってインポート指示部１４９が操作された場合には、その時点で再生されている医用画像１５０が静止画像としてインポートされる。
【００５５】
以上説明したように、第５の実施形態によれば、過去にＣＤＲＯＭやＤＶＤＲＯＭ等の画像記録媒体に記録されたＲｕｎ画像を再生する場合に、より効率良く所望のＲｕｎ画像を見つけることが可能である。
【００５６】
以上実施形態に基づいて本発明を説明したが、本発明は上述した実施形態に限定されるものではなく、本発明の要旨の範囲内で種々の変形や応用が可能なことは勿論である。例えば、上述した各実施形態においては医用画像診断装置の例として、Ｘ線診断装置を挙げているが、上述した実施形態の手法はＸ線診断装置以外の種々の医用画像診断装置に適用することが可能である。また、上述した各実施形態において示したユーザーインターフェース部１４の各操作部の形状や配置等は図示したものに限るものではない。
【００５７】
さらに、上記した実施形態には種々の段階の発明が含まれており、開示される複数の構成要件の適当な組合せにより種々の発明が抽出され得る。例えば、実施形態に示される全構成要件からいくつかの構成要件が削除されても、上述したような課題を解決でき、上述したような効果が得られる場合には、この構成要件が削除された構成も発明として抽出され得る。
【図面の簡単な説明】
【００５８】
【図１】本発明の第１の実施形態に係る医用画像診断装置の一例としてのシングルプレーンのＸ線診断装置の構成図である。
【図２】図２（ａ）は第１の実施形態における、画像演算・記憶部とユーザーインターフェース部の構成を示す図であり、図２（ｂ）は第１の実施形態においてダイジェスト再生モードが選択された場合のユーザーインターフェース部上の操作部の表示例を示す図である。
【図３】第１の実施形態のダイジェスト再生モードにおけるＲｕｎ画像再生の流れについて説明するための図である。
【図４】図４（ａ）は本発明の第２の実施形態におけるユーザーインターフェース部の構成を示す図であり、図４（ｂ）はＲｕｎ種別選択部のユーザーインターフェース部上の表示例を示す図である。
【図５】第２の実施形態においてダイジェスト再生モードが選択された場合のユーザーインターフェース部上の操作部の表示例を示す図である。
【図６】図６（ａ）は本発明の第３の実施形態におけるユーザーインターフェース部の構成を示す図であり、図６（ｂ）は第３の実施形態においてダイジェスト再生モードが選択された場合のユーザーインターフェース部上の操作部の表示例を示す図である。
【図７】第３の実施形態のダイジェスト再生モードにおけるＲｕｎ画像再生の流れについて説明するための図である。
【図８】本発明の第４の実施形態においてダイジェスト再生モードが選択された場合のユーザーインターフェース部上のキープ再生指示部及び非表示指示部の表示例を示す図である。
【図９】第４の実施形態のダイジェスト再生モードにおけるＲｕｎ画像再生の流れについて説明するための図である。
【図１０】本発明の第５の実施形態におけるインポート指示部のユーザーインターフェース部上の表示例を示す図である。
【符号の説明】
【００５９】
１…高電圧発生部、２…Ｘ線発生部、３…被検体、４…寝台、５…Ｘ線検出部、６…機構制御部、７…Ｃアーム、８…システム制御部、９…操作部、１０…画像演算・記憶部、１１…表示部、１２…ハンドスイッチ、１４…ユーザーインターフェース部、２０…高電圧制御部、１０１…再生処理部、１０２…画像データベース、１４１…ダイジェスト再生モード選択部、１４２…再生開始指示部、１４３…再生終了指示部、１４４…表示フレーム選択部、１４５…Ｒｕｎ種別選択部、１４６…再生速度変更部、１４７…キープ再生指示部、１４８…非表示指示部、１４９…インポート指示部
【図１】
2008253568.tif 000003
【図２】
2008253568.tif 000004
【図３】
2008253568.tif 000005
【図４】
2008253568.tif 000006
【図５】
2008253568.tif 000007
【図６】
2008253568.tif 000008
【図７】
2008253568.tif 000009
【図８】
2008253568.tif 000010
【図９】
2008253568.tif 000011
【図１０】
2008253568.tif 000012